(57)【要約】【課題】デフロスト運転から暖房運転に切り換える際の暖房運転の立ち上がりを良好に行うこと。【解決手段】冷媒を圧縮する圧縮機２１と室外熱交換器２２と四方弁２３とを有する一式の室外機ユニット２と、当該室外機ユニットに対して液体冷媒配管５および気体冷媒配管６を介して接続された室内熱交換器３１を有する複数の室内機ユニット３とを備え、室外機ユニットが室内機ユニットの上方に配置された空気調和機１において、室内機ユニットの液体冷媒配管側に設けられた開閉弁３２と、四方弁の切り換えにより圧縮機、室外熱交換器、液体冷媒配管、開閉弁、室内熱交換器、気体冷媒配管の順で冷媒を循環させるデフロスト運転を行い、当該デフロスト運転から四方弁の切り換えにより圧縮機、気体冷媒配管、室内熱交換器、開閉弁、液体冷媒配管、室外熱交換器の順で冷媒を循環させる暖房運転に切り換える際、開閉弁を一旦閉方向に制御する制御手段７１とを備える。【選択図】図２
2011174667.tif 000002
【特許請求の範囲】
【請求項１】
冷媒を圧縮する圧縮機と室外熱交換器と四方弁とを有する一式の室外機ユニットと、当該室外機ユニットに対して液体冷媒配管および気体冷媒配管を介して接続された室内熱交換器を有する複数の室内機ユニットと、を備え、前記室外機ユニットが前記室内機ユニットの上方に配置された空気調和機において、
前記室内機ユニットの前記液体冷媒配管側に設けられた開閉弁と、
前記四方弁の切り換えにより前記圧縮機、前記室外熱交換器、前記液体冷媒配管、前記開閉弁、前記室内熱交換器、前記気体冷媒配管の順で冷媒を循環させるデフロスト運転を行い、当該デフロスト運転から前記四方弁の切り換えにより前記圧縮機、前記気体冷媒配管、前記室内熱交換器、前記開閉弁、前記液体冷媒配管、前記室外熱交換器の順で冷媒を循環させる暖房運転に切り換える際、前記開閉弁を一旦閉方向に制御する制御手段と、
を備えたことを特徴とする空気調和機。
【請求項２】
前記制御手段は、前記デフロスト運転から前記暖房運転に切り換える際、前記開閉弁を閉方向に制御し、所定時間経過後に前記開閉弁を開方向に制御することを特徴とする請求項１に記載の空気調和機。
【請求項３】
前記室内機ユニットにおける前記液体冷媒配管での前記開閉弁の前記室外熱交換器側の冷媒圧力を検出する第一室内機冷媒圧力検出手段と、
前記室内機ユニットにおける前記液体冷媒配管での前記開閉弁の前記室内熱交換器側での冷媒圧力を検出する第二室内機冷媒圧力検出手段と、
を備え、
前記制御手段は、前記デフロスト運転から前記暖房運転に切り換える際、前記開閉弁を閉方向に制御した後、前記第一室内機冷媒圧力検出手段から入力した冷媒圧力が前記第二室内機冷媒圧力検出手段から入力した冷媒圧力以下になった場合に前記開閉弁を開方向に制御することを特徴とする請求項１に記載の空気調和機。
【請求項４】
前記室外機ユニットにおける前記液体冷媒配管での液体冷媒の冷媒温度を検出する室外機冷媒温度検出手段と、
前記室外機ユニットにおける前記圧縮機の吐出位置での冷媒圧力を検出する室外機冷媒圧力検出手段と、
を備え、
前記制御手段は、前記デフロスト運転から前記暖房運転に切り換える際、前記開閉弁を閉方向に制御した後、前記室外機冷媒温度検出手段から入力した冷媒温度から飽和状態の冷媒圧力を算出すると共に当該飽和冷媒圧力に圧力ヘッド差分の液体冷媒圧力を加えた推定冷媒圧力を算出して、当該推定冷媒圧力が前記室外機冷媒圧力検出手段から入力した冷媒圧力以下になった場合に前記開閉弁を開方向に制御することを特徴とする請求項１に記載の空気調和機。
【請求項５】
前記室外機ユニットにおける前記圧縮機の吐出位置での冷媒圧力を検出する室外機冷媒圧力検出手段を備え、
前記制御手段は、前記デフロスト運転から前記暖房運転に切り換える際、前記開閉弁を閉方向に制御した後、前記暖房運転における室外気温度に対する使用制限での飽和冷媒圧力を予め取得し、当該飽和冷媒圧力に圧力ヘッド差分の液体冷媒圧力を加えた推定冷媒圧力を算出して、当該推定冷媒圧力が前記室外機冷媒圧力検出手段から入力した冷媒圧力以下になった場合に前記開閉弁を開方向に制御することを特徴とする請求項１に記載の空気調和機。
【請求項６】
室外に設けられて室外気温度を検出する室外気温度検出手段と、
前記室外機ユニットにおける前記圧縮機の吐出位置での冷媒圧力を検出する室外機冷媒圧力検出手段と、
を備え、
前記制御手段は、前記デフロスト運転から前記暖房運転に切り換える際、前記開閉弁を閉方向に制御した後、前記室外気温度検出手段から入力した室外気温度から飽和状態の冷媒圧力を算出すると共に当該飽和冷媒圧力に圧力ヘッド差分の液体冷媒圧力を加えた推定冷媒圧力を算出して、当該推定冷媒圧力が前記室外機冷媒圧力検出手段から入力した冷媒圧力以下になった場合に前記開閉弁を開方向に制御することを特徴とする請求項１に記載の空気調和機。
【請求項７】
前記制御手段は、前記デフロスト運転から前記暖房運転に切り換える際、前記開閉弁を一旦閉塞させることを特徴とする請求項１〜６のいずれか一つに記載の空気調和機。
【発明の詳細な説明】
【技術分野】
【０００１】
本発明は、一式の室外機ユニットに対し複数の室内機ユニットを備え、冷房運転および暖房運転を行う空気調和機に関する。
【背景技術】
【０００２】
空気調和機の室外機ユニットは、主に圧縮機、室外熱交換器および四方弁を備えている。また、空気調和機の室内機ユニットは、主に室内熱交換器および電子膨張弁を備えている。この空気調和機は、冷房運転時（冷房サイクル）では、四方弁の切り換えにより、圧縮機にて圧縮した高温高圧の気体冷媒を、室外熱交換器にて室外気に熱を与えて凝縮させて液体冷媒とし、液体冷媒配管を介して送りつつ室内機ユニットの電子膨張弁で減圧させて低温低圧の気液冷媒とし、室内熱交換器にて室内気から熱を奪って蒸発させて低温低圧の気体冷媒とし、気体冷媒配管を介して再び圧縮機に送る。一方、空気調和機は、暖房運転時（暖房サイクル）では、四方弁の切り換えにより、圧縮機にて圧縮した高温高圧の気体冷媒を、気体冷媒配管を介して室内熱交換器に送り室内気に熱を与えて凝縮させて液体冷媒とし、液体冷媒配管を介して送りつつ室外機ユニットの電子膨張弁で減圧させて低温低圧の二相冷媒とし、室外熱交換器にて室外気から吸熱して蒸発させて低温低圧の気体冷媒とし、再び圧縮機に送る。
【０００３】
従来、この種の空気調和機では、暖房運転時での室外熱交換器の凍結防止のため、デフロスト運転を行っている。デフロスト運転は、冷房サイクル方向に冷媒を送り、室外熱交換器に高温冷媒を流すことにより室外熱交換器の温度を上昇させ、室外熱交換器の霜を取り除く運転である（例えば、特許文献１参照）。
【先行技術文献】
【特許文献】
【０００４】
【特許文献１】特開２００８−２０９０２２号公報
【発明の概要】
【発明が解決しようとする課題】
【０００５】
上述した空気調和機は、ビルディングなどの中・高層の建物に適用される場合、室外機ユニットが屋上部分に設置され、室内機ユニットが各室内に配置されるケースが良く見られる。このような場合、デフロスト運転時に、液体冷媒配管に対して上方から下方に液体冷媒が送られ、圧力ヘッド差により電子膨張弁の室外熱交換器側の冷媒圧力が、電子膨張弁の室内熱交換器側の冷媒圧力よりも高くなる。このため、デフロスト運転から暖房運転に切り換えた直後では、上記圧力ヘッド差により電子膨張弁の室外熱交換器側の冷媒圧力が、電子膨張弁の室内熱交換器側の冷媒圧力よりも高い状態が継続されることから、液体冷媒配管内の液体冷媒が室内熱交換器に逆流してしまい、室内機ユニットの室内熱交換器に冷媒が溜まり込むことで冷媒不足となり、冷媒の圧力が低下することで暖房運転の立ち上がりが悪化するおそれがある。
【０００６】
本発明は上述した課題を解決するものであり、デフロスト運転から暖房運転に切り換える際の暖房運転の立ち上がりを良好に行うことのできる空気調和機を提供することを目的とする。
【課題を解決するための手段】
【０００７】
上述の目的を達成するために、本発明の空気調和機は、冷媒を圧縮する圧縮機と室外熱交換器と四方弁とを有する一式の室外機ユニットと、当該室外機ユニットに対して液体冷媒配管および気体冷媒配管を介して接続された室内熱交換器を有する複数の室内機ユニットと、を備え、前記室外機ユニットが前記室内機ユニットの上方に配置された空気調和機において、前記室内機ユニットの前記液体冷媒配管側に設けられた開閉弁と、前記四方弁の切り換えにより前記圧縮機、前記室外熱交換器、前記液体冷媒配管、前記開閉弁、前記室内熱交換器、前記気体冷媒配管の順で冷媒を循環させるデフロスト運転を行い、当該デフロスト運転から前記四方弁の切り換えにより前記圧縮機、前記気体冷媒配管、前記室内熱交換器、前記開閉弁、前記液体冷媒配管、前記室外熱交換器の順で冷媒を循環させる暖房運転に切り換える際、前記開閉弁を一旦閉方向に制御する制御手段と、を備えたことを特徴とする。
【０００８】
この空気調和機によれば、デフロスト運転から暖房運転に切り換える際、開閉弁を閉方向に制御することにより、圧力ヘッド差により液体冷媒配管の液体冷媒が室内熱交換器に逆流する事態を防ぐ。この結果、室内機ユニットの室内熱交換器に冷媒が溜まり込むことで冷媒不足となる事態が回避され、冷媒の圧力が低下しないので、デフロスト運転から暖房運転に切り換える際の暖房運転の立ち上がりを良好に行うことができる。
【０００９】
また、本発明の空気調和機では、前記制御手段は、前記デフロスト運転から前記暖房運転に切り換える際、前記開閉弁を閉方向に制御し、所定時間経過後に前記開閉弁を開方向に制御することを特徴とする。
【００１０】
この空気調和機によれば、開閉弁を閉方向に制御し、所定時間経過後に開閉弁を開方向に制御するため、圧力ヘッド差による液体冷媒の圧力上昇の作用が引くまでの所定時間だけ、圧力ヘッド差により液体冷媒配管の液体冷媒が室内熱交換器に逆流する事態を防ぎ、室内機ユニットの室内熱交換器に冷媒が溜まり込むことで冷媒不足となる事態が回避され、冷媒の圧力が低下しない状態で暖房運転を開始する。この結果、デフロスト運転から暖房運転に切り換える際の暖房運転の立ち上がりを良好かつ、速やかに行うことができる。
【００１１】
また、本発明の空気調和機では、前記室内機ユニットにおける前記液体冷媒配管での前記開閉弁の前記室外熱交換器側の冷媒圧力を検出する第一室内機冷媒圧力検出手段と、前記室内機ユニットにおける前記液体冷媒配管での前記開閉弁の前記室内熱交換器側での冷媒圧力を検出する第二室内機冷媒圧力検出手段と、を備え、前記制御手段は、前記デフロスト運転から前記暖房運転に切り換える際、前記開閉弁を閉方向に制御した後、前記第一室内機冷媒圧力検出手段から入力した冷媒圧力が前記第二室内機冷媒圧力検出手段から入力した冷媒圧力以下になった場合に前記開閉弁を開方向に制御することを特徴とする。
【００１２】
この空気調和機によれば、開閉弁を閉方向に制御し、第一室内機冷媒圧力検出手段から入力した冷媒圧力が第二室内機冷媒圧力検出手段から入力した冷媒圧力以下になった場合に開閉弁を開方向に制御するため、圧力ヘッド差により液体冷媒配管の液体冷媒が室内熱交換器に逆流する事態を防ぎ、室内機ユニットの室内熱交換器に冷媒が溜まり込むことで冷媒不足となる事態が回避され、冷媒の圧力が低下しない状態で暖房運転を開始する。この結果、デフロスト運転から暖房運転に切り換える際の暖房運転の立ち上がりを良好かつ、速やかに行うことができる。
【００１３】
しかも、この空気調和機によれば、各室内機ユニットに第一室内機冷媒圧力検出手段および第二室内機冷媒圧力検出手段を設けたことにより、室内機ユニットごとの圧力ヘッド差に応じて開閉弁の開方向への制御を行えるので、室内機ユニットごとでデフロスト運転から暖房運転に切り換える際の暖房運転の立ち上がりを良好かつ、速やかに行うことができる。
【００１４】
また、本発明の空気調和機では、前記室外機ユニットにおける前記液体冷媒配管での液体冷媒の冷媒温度を検出する室外機冷媒温度検出手段と、前記室外機ユニットにおける前記圧縮機の吐出位置での冷媒圧力を検出する室外機冷媒圧力検出手段と、を備え、前記制御手段は、前記デフロスト運転から前記暖房運転に切り換える際、前記開閉弁を閉方向に制御した後、前記室外機冷媒温度検出手段から入力した冷媒温度から飽和状態の冷媒圧力を算出すると共に当該飽和冷媒圧力に圧力ヘッド差分の液体冷媒圧力を加えた推定冷媒圧力を算出して、当該推定冷媒圧力が前記室外機冷媒圧力検出手段から入力した冷媒圧力以下になった場合に前記開閉弁を開方向に制御することを特徴とする。
【００１５】
この空気調和機によれば、室内機ユニットにおける液体冷媒配管での開閉弁の室外熱交換器側の冷媒圧力を、室外機冷媒温度検出手段から入力した冷媒温度に基づいて推定冷媒圧力として算出し、また、室内機ユニットにおける液体冷媒配管での開閉弁の室内熱交換器側での冷媒圧力を、室外機冷媒圧力検出手段から入力した冷媒圧力相当とし、算出した推定冷媒圧力が入力した冷媒圧力以下となった場合に開閉弁を開方向に制御する。このため、圧力ヘッド差により液体冷媒配管の液体冷媒が室内熱交換器に逆流する事態を防ぎ、室内機ユニットの室内熱交換器に冷媒が溜まり込むことで冷媒不足となる事態が回避され、冷媒の圧力が低下しない状態で暖房運転を開始する。この結果、デフロスト運転から暖房運転に切り換える際の暖房運転の立ち上がりを良好かつ、速やかに行うことが可能になる。
【００１６】
しかも、この空気調和機によれば、室外機ユニット側に設けられた室外機冷媒温度検出手段および室外機冷媒圧力検出手段による検出に基づいて制御を行い、この制御のために各室内機ユニット側に検出手段を要さない。このため、各室内機ユニットに検出手段を設けるコストを低減することができる。
【００１７】
また、本発明の空気調和機では、前記室外機ユニットにおける前記圧縮機の吐出位置での冷媒圧力を検出する室外機冷媒圧力検出手段を備え、前記制御手段は、前記デフロスト運転から前記暖房運転に切り換える際、前記開閉弁を閉方向に制御した後、前記暖房運転における室外気温度に対する使用制限での飽和冷媒圧力を予め取得し、当該飽和冷媒圧力に圧力ヘッド差分の液体冷媒圧力を加えた推定冷媒圧力を算出して、当該推定冷媒圧力が前記室外機冷媒圧力検出手段から入力した冷媒圧力以下になった場合に前記開閉弁を開方向に制御することを特徴とする。
【００１８】
この空気調和機によれば、室内機ユニットにおける液体冷媒配管での開閉弁の室外熱交換器側の冷媒圧力を、暖房運転における室外気温度に対する使用制限での飽和冷媒圧力に圧力ヘッド差分の液体冷媒圧力を加えた推定冷媒圧力として算出し、また、室内機ユニットにおける液体冷媒配管での開閉弁の室内熱交換器側での冷媒圧力を、室外機冷媒圧力検出手段から入力した冷媒圧力相当とし、算出した推定冷媒圧力が入力した冷媒圧力以下となった場合に開閉弁を開方向に制御する。このため、圧力ヘッド差により液体冷媒配管の液体冷媒が室内熱交換器に逆流する事態を防ぎ、室内機ユニットの室内熱交換器に冷媒が溜まり込むことで冷媒不足となる事態が回避され、冷媒の圧力が低下しない状態で暖房運転を開始する。この結果、デフロスト運転から暖房運転に切り換える際の暖房運転の立ち上がりを良好かつ、速やかに行うことができる。
【００１９】
しかも、この空気調和機によれば、室外機ユニット側に設けられた室外機冷媒圧力検出手段による検出に基づいて制御を行い、この制御のために各室内機ユニット側に検出手段を要さない。このため、各室内機ユニットに検出手段を設けるコストを低減することができる。
【００２０】
また、本発明の空気調和機では、室外に設けられて室外気温度を検出する室外気温度検出手段と、前記室外機ユニットにおける前記圧縮機の吐出位置での冷媒圧力を検出する室外機冷媒圧力検出手段と、を備え、前記制御手段は、前記デフロスト運転から前記暖房運転に切り換える際、前記開閉弁を閉方向に制御した後、前記室外気温度検出手段から入力した室外気温度から飽和状態の冷媒圧力を算出すると共に当該飽和冷媒圧力に圧力ヘッド差分の液体冷媒圧力を加えた推定冷媒圧力を算出して、当該推定冷媒圧力が前記室外機冷媒圧力検出手段から入力した冷媒圧力以下になった場合に前記開閉弁を開方向に制御することを特徴とする。
【００２１】
この空気調和機によれば、室内機ユニットにおける液体冷媒配管での開閉弁の室外熱交換器側の冷媒圧力を、室外気温度に対応する飽和冷媒圧力に圧力ヘッド差分の液体冷媒圧力を加えた推定冷媒圧力として算出し、また、室内機ユニットにおける液体冷媒配管での開閉弁の室内熱交換器側での冷媒圧力を、室外機冷媒圧力検出手段から入力した冷媒圧力相当とし、算出した推定冷媒圧力が入力した冷媒圧力以下となった場合に開閉弁を開方向に制御する。このため、圧力ヘッド差により液体冷媒配管の液体冷媒が室内熱交換器に逆流する事態を防ぎ、室内機ユニットの室内熱交換器に冷媒が溜まり込むことで冷媒不足となる事態が回避され、冷媒の圧力が低下しない状態で暖房運転を開始する。この結果、デフロスト運転から暖房運転に切り換える際の暖房運転の立ち上がりを良好かつ、速やかに行うことができる。
【００２２】
しかも、この空気調和機によれば、室外に設けられた室外気温度検出手段および室外機冷媒圧力検出手段による検出に基づいて制御を行い、この制御のために各室内機ユニット側に検出手段を要さない。このため、各室内機ユニットに検出手段を設けるコストを低減することができる。
【００２３】
また、本発明の空気調和機では、前記制御手段は、前記デフロスト運転から前記暖房運転に切り換える際、前記開閉弁を一旦閉塞させることを特徴とする。
【００２４】
この空気調和機によれば、圧力ヘッド差により液体冷媒配管の液体冷媒が室内熱交換器に逆流する事態を確実に防ぐことが可能になる。
【発明の効果】
【００２５】
本発明によれば、デフロスト運転から暖房運転に切り換える際の暖房運転の立ち上がりを良好に行うことができる。
【図面の簡単な説明】
【００２６】
【図１】図１は、本発明の実施の形態１に係る空気調和機の概略図である。
【図２】図２は、本発明の実施の形態１に係る空気調和機の構成図である。
【図３】図３は、本発明の実施の形態１に係る空気調和機のデフロスト運転時の作動図である。
【図４】図４は、本発明の実施の形態１に係る空気調和機の制御を示すフローチャートである。
【図５】図５は、本発明の実施の形態２に係る空気調和機の構成図である。
【図６】図６は、本発明の実施の形態２に係る空気調和機の制御を示すフローチャートである。
【図７】図７は、本発明の実施の形態３に係る空気調和機の構成図である。
【図８】図８は、本発明の実施の形態３に係る空気調和機の制御を示すフローチャートである。
【図９】図９は、本発明の実施の形態４に係る空気調和機の構成図である。
【図１０】図１０は、本発明の実施の形態４に係る空気調和機の制御を示すフローチャートである。
【図１１】図１１は、本発明の実施の形態５に係る空気調和機の構成図である。
【図１２】図１２は、本発明の実施の形態５に係る空気調和機の制御を示すフローチャートである。
【発明を実施するための形態】
【００２７】
以下に、本発明に係る実施の形態を図面に基づいて詳細に説明する。なお、この実施の形態によりこの発明が限定されるものではない。また、下記実施の形態における構成要素には、当業者が置換可能かつ容易なもの、あるいは実質的に同一のものが含まれる。
【００２８】
［実施の形態１］
図１は、本実施の形態に係る空気調和機の概略図である。図１に示すように、本実施の形態の空気調和機１は、一式の室外機ユニット２と、複数の室内機ユニット３とを備えている。室外機ユニット２は、ビルディングなどの中・高層の建物１００の屋上、または最上階などに設置された機械室１０１に設けられているケースが良く見られる。室内機ユニット３は、建物１００の各室１０２にそれぞれ設けられている。各室内機ユニット３は、室外機ユニット２に接続されている。室外機ユニット２と各室内機ユニット３との間には、その高さの違いにより圧力ヘッド差Ｈが生じる。なお、図１では、最下位置に設けられた室内機ユニット３と室外機ユニット２との間の圧力ヘッド差Ｈを示している。
【００２９】
図２は、本実施の形態に係る空気調和機の構成図である。図２に示すように、室外機ユニット２は、圧縮機２１と、室外熱交換器２２と、四方弁２３とを備えている。圧縮機２１は、ガス冷媒を吸入圧縮するものである。室外熱交換器２２は、冷房運転時およびデフロスト運転時に圧縮機２１を経た高圧のガス冷媒を凝縮させるコンデンサとして作用する一方で、暖房運転時に低温の液冷媒を蒸発させるエバポレータとして作用するものである。四方弁２３は、圧縮機２１の吐出側に冷媒配管４ａで接続された導入部２３ａと、圧縮機２１の吸入側に冷媒配管４ｂで接続された導出部２３ｂと、導入部２３ａ側または導出部２３ｂ側に選択的に切り換えられる第一入出部２３ｃおよび第二入出部２３ｄとを有しており、冷房運転時およびデフロスト運転時と、暖房運転時とで、圧縮機２１で圧縮されたガス冷媒の供給先を選択的に切り換えるものである。
【００３０】
また、室内機ユニット３は、室内熱交換器３１と、開閉弁３２とを備えている。室内熱交換器３１は、冷房運転時およびデフロスト運転時に低温の液冷媒を蒸発させるエバポレータとして作用する一方で、暖房運転時に圧縮機２１を経た高圧のガス冷媒を凝縮させるコンデンサとして作用するものである。開閉弁３２は、室内熱交換器３１に接続された液体冷媒配管５側に設けられ、当該液体冷媒配管５を開閉することで、冷媒の流通を閉止または開通させるものである。また、開閉弁３２は、液体冷媒配管５に流通する冷媒の流量を調整するために電子膨張弁が多く用いられる。
【００３１】
そして、室外機ユニット２の四方弁２３は、第一入出部２３ｃが室外熱交換器２２に対して冷媒配管４ｃで接続されている。室外熱交換器２２は、液体冷媒配管５の一端に接続されている。液体冷媒配管５は、室外機ユニット２の外部に延在され、分岐して各室内機ユニット３に至り、分岐した他端が室内熱交換器３１に接続されている。開閉弁３２は、液体冷媒配管５の分岐した他端部に設けられている。また、室外機ユニット２の四方弁２３は、第二入出部２３ｄが気体冷媒配管６の一端に接続されている。気体冷媒配管６は、室外機ユニット２の外部に延在され、分岐して各室内機ユニット３に至り、分岐した他端が室内熱交換器３１に接続されている。
【００３２】
この空気調和機１は、四方弁２３の切り換えにより、図２に破線の矢印で示すように、圧縮機２１、室外熱交換器２２、液体冷媒配管５、開閉弁３２、室内熱交換器３１、気体冷媒配管６の順で冷媒を循環させ、冷却運転により室１０２の室内気を冷却する、またはデフロスト運転により暖房運転時での室外熱交換器２２の凍結を防ぐ。一方、空気調和機１は、四方弁２３の切り換えにより、図２に実線の矢印で示すように、圧縮機２１、気体冷媒配管６、室内熱交換器３１、開閉弁３２、液体冷媒配管５、室外熱交換器２２の順で冷媒を循環させ、暖房運転により室内気を加熱する。
【００３３】
ここで、図３に、本実施の形態に係る空気調和機のデフロスト運転時の作動図（Ｐ−ｈ線図）を示す。なお、図３におけるＡ点〜Ｆ点の符号は、図２のＡ点〜Ｆ点の位置に対応する。図３に示すように、デフロスト運転時では、圧力ヘッド差Ｈにより、Ｄ点、すなわち室内機ユニット３にて液体冷媒配管５における開閉弁３２の室外熱交換器２２側での冷媒圧力が上昇し、Ｅ点、すなわち室内機ユニット３にて液体冷媒配管５における開閉弁３２の室内熱交換器３１側での冷媒圧力よりも高くなる。そして、デフロスト運転が終了し、暖房運転に切り換えた直後では、Ｄ点の冷媒圧力がＥ点の冷媒圧力よりも高い状態が維持されることから、液体冷媒配管５内の液体冷媒が室内熱交換器３１に逆流してしまい、室内機ユニット３の室内熱交換器３１に冷媒が溜まり込むことで冷媒不足となり、冷媒の圧力が低下することで暖房運転の立ち上がりが悪化するおそれがある。
【００３４】
このため、本実施の形態の空気調和機１は、制御手段７１を備えている。制御手段７１は、マイコンなどで構成されている。制御手段７１は、四方弁２３および各開閉弁３２に接続されている。また、制御手段７１は、ＲＡＭやＲＯＭなどから構成されてプログラムやデータが格納される記憶部（図示せず）が設けられている。記憶部に格納されるデータは、計時情報である。具体的に、計時情報は、デフロスト運転から暖房運転に切り換える際に開閉弁３２を一旦閉方向に作動させてから、Ｄ点の冷媒圧力がＥ点の冷媒圧力以下となるまでの時間を実験などで予め取得したものである。この制御手段７１は、記憶部に格納されたプログラムやデータに従って、四方弁２３の切り換えに基づいて各開閉弁３２を制御する。
【００３５】
制御手段７１による制御について、図４のフローチャートを参照して説明する。
【００３６】
図４に示すように、まず、制御手段７１は、デフロスト運転から暖房運転に四方弁２３を切り換える（ステップＳ１）。次に、制御手段７１は、四方弁２３の切り換えに基づいて開閉弁３２を閉方向に制御する（ステップＳ２）。次に、制御手段７１は、開閉弁３２を閉方向に制御してからの経過時間を計る（ステップＳ３）。次に、所定時間経過した場合（ステップＳ４：Ｙｅｓ）、制御手段７１は、開閉弁３２を開方向に制御する（ステップＳ５）。なお、ステップＳ５での開閉弁３２の開制御は、各室内機ユニット３において設定された室１０２の温度となるように開閉弁３２の開度を設定する。
【００３７】
このように、本実施の形態の空気調和機１によれば、デフロスト運転から暖房運転に切り換える際、開閉弁３２を閉方向に制御する。このため、圧力ヘッド差Ｈにより液体冷媒配管５の液体冷媒が室内熱交換器３１に逆流する事態を防ぐ。この結果、室内機ユニット３の室内熱交換器３１に冷媒が溜まり込むことで冷媒不足となる事態が回避され、冷媒の圧力が低下しないので、デフロスト運転から暖房運転に切り換える際の暖房運転の立ち上がりを良好に行うことが可能になる。
【００３８】
また、本実施の形態の空気調和機１によれば、開閉弁３２を閉方向に制御し、所定時間経過後に開閉弁３２を開方向に制御する。このため、圧力ヘッド差Ｈによる液体冷媒の圧力上昇の作用が引くまでの所定時間だけ、圧力ヘッド差Ｈにより液体冷媒配管５の液体冷媒が室内熱交換器３１に逆流する事態を防ぎ、室内機ユニット３の室内熱交換器３１に冷媒が溜まり込むことで冷媒不足となる事態が回避され、冷媒の圧力が低下しない状態で暖房運転を開始する。この結果、デフロスト運転から暖房運転に切り換える際の暖房運転の立ち上がりを良好かつ、速やかに行うことが可能になる。
【００３９】
なお、本実施の形態の空気調和機１では、圧力ヘッド差Ｈによる液体冷媒の圧力上昇の作用が引くまでの所定時間を、室内機ユニット３ごとに設定することが好ましい。このよう所定時間を設定することで、室内機ユニット３ごとの圧力ヘッド差Ｈに応じて開閉弁３２の開方向への制御を行えるので、室内機ユニット３ごとでデフロスト運転から暖房運転に切り換える際の暖房運転の立ち上がりを良好かつ、速やかに行うことが可能になる。
【００４０】
なお、ステップＳ２での開閉弁３２の制御は、開閉弁３２で液体冷媒配管５を全閉させる。これにより、圧力ヘッド差Ｈにより液体冷媒配管５の液体冷媒が室内熱交換器３１に逆流する事態を確実に防ぐことが可能になる。また、ステップＳ２での開閉弁３２の制御は、全閉に限らず、開閉弁３２で液体冷媒配管５を９０％程度閉塞させてもよい。これにより、圧力ヘッド差Ｈによる液体冷媒の圧力上昇の作用が引くとほぼ同時に、暖房運転を開始できるので、比較的早いタイミングで暖房運転を立ち上がらせることが可能になる。
【００４１】
［実施の形態２］
図５は、本実施の形態に係る空気調和機の構成図である。なお、以下に説明する本実施の形態において、上述した実施の形態１と同等の構成には同一の符号を付してその説明を省略する。
【００４２】
図５に示すように、本実施の形態の空気調和機１は、Ｄ点、すなわち室内機ユニット３にて液体冷媒配管５における開閉弁３２の室外熱交換器２２側での冷媒圧力Ｐ１を検出する第一室内機冷媒圧力検出手段８１が設けられている。
【００４３】
また、空気調和機１は、Ｅ点、すなわち室内機ユニット３にて液体冷媒配管５における開閉弁３２の室内熱交換器３１側での冷媒圧力Ｐ２を検出する第二室内機冷媒圧力検出手段８２が設けられている。
【００４４】
上述した第一室内機冷媒圧力検出手段８１により検出された冷媒圧力Ｐ１、および第二室内機冷媒圧力検出手段８２により検出された冷媒圧力Ｐ２は、制御手段７２に入力される。制御手段７２は、マイコンなどで構成されている。制御手段７２は、第一室内機冷媒圧力検出手段８１、第二室内機冷媒圧力検出手段８２、四方弁２３、および各開閉弁３２に接続されている。また、制御手段７２は、ＲＡＭやＲＯＭなどから構成されてプログラムやデータが格納される記憶部（図示せず）が設けられている。記憶部に格納されるデータは、第一室内機冷媒圧力検出手段８１から入力した冷媒圧力Ｐ１と、第二室内機冷媒圧力検出手段８２から入力した冷媒圧力Ｐ２とにより冷媒圧力Ｐ１が冷媒圧力Ｐ２以下であるかを比較するための比較情報である。この制御手段７２は、記憶部に格納されたプログラムやデータに従って、四方弁２３の切り換えや、冷媒圧力Ｐ１および冷媒圧力Ｐ２の入力に基づいて各開閉弁３２を制御する。
【００４５】
制御手段７２による制御について、図６のフローチャートを参照して説明する。
【００４６】
図６に示すように、まず、制御手段７２は、デフロスト運転から暖房運転に四方弁２３を切り換える（ステップＳ１１）。次に、制御手段７２は、四方弁２３の切り換えに基づいて開閉弁３２を閉方向に制御する（ステップＳ１２）。次に、制御手段７２は、第一室内機冷媒圧力検出手段８１により検出された冷媒圧力Ｐ１を入力する（ステップＳ１３）。次に、制御手段７２は、第二室内機冷媒圧力検出手段８２により検出された冷媒圧力Ｐ２を入力する（ステップＳ１４）。次に、冷媒圧力Ｐ１が冷媒圧力Ｐ２以下の場合（ステップＳ１５：Ｙｅｓ）、制御手段７２は、開閉弁３２を開方向に制御する（ステップＳ１６）。なお、冷媒圧力Ｐ１が冷媒圧力Ｐ２以下でない場合（ステップＳ１５：Ｎｏ）、制御手段７２は、冷媒圧力Ｐ１が冷媒圧力Ｐ２以下となるまでステップＳ１３〜ステップＳ１５の制御を繰り返す。また、ステップＳ１６での開閉弁３２の開制御は、各室内機ユニット３において設定された室１０２の温度となるように開閉弁３２の開度を設定する。
【００４７】
このように、本実施の形態の空気調和機１によれば、デフロスト運転から暖房運転に切り換える際、開閉弁３２を閉方向に制御する。このため、圧力ヘッド差Ｈにより液体冷媒配管５の液体冷媒が室内熱交換器３１に逆流する事態を防ぐ。この結果、室内機ユニット３の室内熱交換器３１に冷媒が溜まり込むことで冷媒不足となる事態が回避され、冷媒の圧力が低下しないので、デフロスト運転から暖房運転に切り換える際の暖房運転の立ち上がりを良好に行うことが可能になる。
【００４８】
また、本実施の形態の空気調和機１によれば、開閉弁３２を閉方向に制御し、冷媒圧力Ｐ１が冷媒圧力Ｐ２以下となった場合に開閉弁３２を開方向に制御する。このため、圧力ヘッド差Ｈにより液体冷媒配管５の液体冷媒が室内熱交換器３１に逆流する事態を防ぎ、室内機ユニット３の室内熱交換器３１に冷媒が溜まり込むことで冷媒不足となる事態が回避され、冷媒の圧力が低下しない状態で暖房運転を開始する。この結果、デフロスト運転から暖房運転に切り換える際の暖房運転の立ち上がりを良好かつ、速やかに行うことが可能になる。
【００４９】
しかも、本実施の形態の空気調和機１によれば、各室内機ユニット３に第一室内機冷媒圧力検出手段８１および第二室内機冷媒圧力検出手段８２を設けたことにより、室内機ユニット３ごとの圧力ヘッド差Ｈに応じて開閉弁３２の開方向への制御を行えるので、室内機ユニット３ごとでデフロスト運転から暖房運転に切り換える際の暖房運転の立ち上がりを良好かつ、速やかに行うことが可能になる。
【００５０】
なお、ステップＳ１２での開閉弁３２の制御は、開閉弁３２で液体冷媒配管５を全閉させる。これにより、圧力ヘッド差Ｈにより液体冷媒配管５の液体冷媒が室内熱交換器３１に逆流する事態を確実に防ぐことが可能になる。また、ステップＳ１２での開閉弁３２の制御は、全閉に限らず、開閉弁３２で液体冷媒配管５を９０％程度閉塞させてもよい。これにより、圧力ヘッド差Ｈによる液体冷媒の圧力上昇の作用が引くとほぼ同時に、暖房運転を開始できるので、比較的早いタイミングで暖房運転を立ち上がらせることが可能になる。
【００５１】
［実施の形態３］
図７は、本実施の形態に係る空気調和機の構成図である。なお、以下に説明する本実施の形態において、上述した実施の形態１と同等の構成には同一の符号を付してその説明を省略する。
【００５２】
図７に示すように、本実施の形態の空気調和機１は、室外機ユニット２において、液体冷媒配管５での液体冷媒の冷媒温度Ｔ１を検出する室外機冷媒温度検出手段８３が設けられている。
【００５３】
また、空気調和機１は、室外機ユニット２において、圧縮機２１の吐出位置での冷媒圧力Ｐ３を検出する室外機冷媒圧力検出手段８４が設けられている。この冷媒圧力Ｐ３は、Ｅ点、すなわち室内機ユニット３にて液体冷媒配管５における開閉弁３２の室内熱交換器３１側の冷媒圧力に相当する。
【００５４】
上述した室外機冷媒温度検出手段８３により検出された冷媒温度Ｔ１、および室外機冷媒圧力検出手段８４により検出された冷媒圧力Ｐ３は、制御手段７３に入力される。制御手段７３は、マイコンなどで構成されている。制御手段７３は、室外機冷媒温度検出手段８３、室外機冷媒圧力検出手段８４、四方弁２３、および各開閉弁３２に接続されている。また、制御手段７３は、ＲＡＭやＲＯＭなどから構成されてプログラムやデータが格納される記憶部（図示せず）が設けられている。記憶部に格納されるデータは、室外機冷媒温度検出手段８３から入力した冷媒温度Ｔ１から飽和状態での冷媒圧力を算出するための飽和冷媒圧力算出情報、飽和冷媒圧力に圧力ヘッド差Ｈ分の液体冷媒圧力を加えたＤ点での推定冷媒圧力Ｐ４を算出するための推定冷媒圧力算出情報、および室外機冷媒圧力検出手段８４から入力した冷媒圧力Ｐ３と推定冷媒圧力Ｐ４とにより推定冷媒圧力Ｐ４が冷媒圧力Ｐ３以下であるかを比較するための比較情報である。この制御手段７３は、記憶部に格納されたプログラムやデータに従って、四方弁２３の切り換えや、冷媒温度Ｔ１および冷媒圧力Ｐ３の入力に基づいて各開閉弁３２を制御する。
【００５５】
制御手段７３による制御について、図８のフローチャートを参照して説明する。
【００５６】
図８に示すように、まず、制御手段７３は、デフロスト運転から暖房運転に四方弁２３を切り換える（ステップＳ２１）。次に、制御手段７３は、四方弁２３の切り換えに基づいて開閉弁３２を閉方向に制御する（ステップＳ２２）。次に、制御手段７３は、室外機冷媒温度検出手段８３により検出された冷媒温度Ｔ１を入力する（ステップＳ２３）。次に、制御手段７３は、冷媒温度Ｔ１に基づき、飽和冷媒圧力を算出すると共に当該飽和冷媒圧力に圧力ヘッド差Ｈ分の液体冷媒圧力を加えたＤ点での推定冷媒圧力Ｐ４を算出する（ステップＳ２４）。次に、制御手段７３は、室外機冷媒圧力検出手段８４により検出された冷媒圧力Ｐ３を入力する（ステップＳ２５）。次に、推定冷媒圧力Ｐ４が冷媒圧力Ｐ３以下の場合（ステップＳ２６：Ｙｅｓ）、制御手段７３は、開閉弁３２を開方向に制御する（ステップＳ２７）。なお、冷媒圧力Ｐ４が冷媒圧力Ｐ３以下でない場合（ステップＳ２６：Ｎｏ）、制御手段７３は、冷媒圧力Ｐ４が冷媒圧力Ｐ３以下となるまでステップＳ２３〜ステップＳ２６の制御を繰り返す。また、ステップＳ２７での開閉弁３２の開制御は、各室内機ユニット３において設定された室１０２の温度となるように開閉弁３２の開度を設定する。
【００５７】
このように、本実施の形態の空気調和機１によれば、デフロスト運転から暖房運転に切り換える際、開閉弁３２を閉方向に制御する。このため、圧力ヘッド差Ｈにより液体冷媒配管５の液体冷媒が室内熱交換器３１に逆流する事態を防ぐ。この結果、室内機ユニット３の室内熱交換器３１に冷媒が溜まり込むことで冷媒不足となる事態が回避され、冷媒の圧力が低下しないので、デフロスト運転から暖房運転に切り換える際の暖房運転の立ち上がりを良好に行うことが可能になる。
【００５８】
また、本実施の形態の空気調和機１によれば、室内機ユニット３における液体冷媒配管５での開閉弁３２の室外熱交換器２２側の冷媒圧力を、室外機冷媒温度検出手段８３から入力した冷媒温度Ｔ１に基づいたＤ点での推定冷媒圧力Ｐ４として算出し、また、室内機ユニット３における液体冷媒配管５での開閉弁３２の室内熱交換器３１側での冷媒圧力を、室外機冷媒圧力検出手段８４から入力した冷媒圧力Ｐ３相当とし、算出した推定冷媒圧力Ｐ４が入力した冷媒圧力Ｐ３以下となった場合に開閉弁３２を開方向に制御する。このため、圧力ヘッド差Ｈにより液体冷媒配管５の液体冷媒が室内熱交換器３１に逆流する事態を防ぎ、室内機ユニット３の室内熱交換器３１に冷媒が溜まり込むことで冷媒不足となる事態が回避され、冷媒の圧力が低下しない状態で暖房運転を開始する。この結果、デフロスト運転から暖房運転に切り換える際の暖房運転の立ち上がりを良好かつ、速やかに行うことが可能になる。
【００５９】
しかも、本実施の形態の空気調和機１によれば、室外機ユニット２側に設けられた室外機冷媒温度検出手段８３および室外機冷媒圧力検出手段８４による検出に基づいて制御を行い、この制御のために各室内機ユニット３側に検出手段が設けられていない。このため、各室内機ユニット３に検出手段を設けるコストを低減することが可能になる。
【００６０】
なお、本実施の形態の空気調和機１では、飽和冷媒圧力に室内機ユニット３ごとの圧力ヘッド差Ｈを加えて推定冷媒圧力Ｐ４を算出することが好ましい。このように推定冷媒圧力Ｐ４を算出することで、室内機ユニット３ごとの圧力ヘッド差Ｈに応じて開閉弁３２の開方向への制御を行えるので、室内機ユニット３ごとでデフロスト運転から暖房運転に切り換える際の暖房運転の立ち上がりを良好かつ、速やかに行うことが可能になる。
【００６１】
なお、ステップＳ２２での開閉弁３２の制御は、開閉弁３２で液体冷媒配管５を全閉させる。これにより、圧力ヘッド差Ｈにより液体冷媒配管５の液体冷媒が室内熱交換器３１に逆流する事態を確実に防ぐことが可能になる。また、ステップＳ２２での開閉弁３２の制御は、全閉に限らず、開閉弁３２で液体冷媒配管５を９０％程度閉塞させてもよい。これにより、圧力ヘッド差Ｈによる液体冷媒の圧力上昇の作用が引くとほぼ同時に、暖房運転を開始できるので、比較的早いタイミングで暖房運転を立ち上がらせることが可能になる。
【００６２】
［実施の形態４］
図９は、本実施の形態に係る空気調和機の構成図である。なお、以下に説明する本実施の形態において、上述した実施の形態１と同等の構成には同一の符号を付してその説明を省略する。
【００６３】
図９に示すように、本実施の形態の空気調和機１は、室外機ユニット２において、圧縮機２１の吐出位置での冷媒圧力Ｐ３を検出する室外機冷媒圧力検出手段８４が設けられている。この冷媒圧力Ｐ３は、Ｅ点、すなわち室内機ユニット３にて液体冷媒配管５における開閉弁３２の室内熱交換器３１側の冷媒圧力に相当する。
【００６４】
上述した室外機冷媒圧力検出手段８４により検出された冷媒圧力Ｐ３は、制御手段７４に入力される。制御手段７４は、マイコンなどで構成されている。制御手段７４は、室外機冷媒圧力検出手段８４、四方弁２３、および各開閉弁３２に接続されている。また、制御手段７４は、ＲＡＭやＲＯＭなどから構成されてプログラムやデータが格納される記憶部（図示せず）が設けられている。記憶部に格納されるデータは、暖房運転における室外気温度に対する使用制限での飽和冷媒圧力を予め取得した飽和冷媒圧力取得情報、飽和冷媒圧力に圧力ヘッド差Ｈ分の液体冷媒圧力を加えたＤ点での推定冷媒圧力Ｐ５を算出するための推定冷媒圧力算出情報、および室外機冷媒圧力検出手段８４から入力した冷媒圧力Ｐ３と推定冷媒圧力Ｐ５とにより推定冷媒圧力Ｐ５が冷媒圧力Ｐ３以下であるかを比較するための比較情報である。この制御手段７４は、記憶部に格納されたプログラムやデータに従って、四方弁２３の切り換えや、冷媒圧力Ｐ３の入力に基づいて各開閉弁３２を制御する。
【００６５】
なお、暖房運転における室外気温度に対する使用制限とは、室外気温度が比較的高い場合では暖房運転は行わないので、空気調和機１で設定された所定の室外気温度では暖房運転を行わないように使用制限をしている。所定の室外気温度は、例えば、２４℃である。すなわち、室外気温度が２４℃の場合、飽和冷媒圧力は、ほぼ１．５ＭＰａとなる。そして、ヘッド差が９０ｍの場合、圧力ヘッド差Ｈが０．９ＭＰａ作用するため、推定冷媒圧力Ｐ５は、２．４ＭＰａとなる。
【００６６】
制御手段７４による制御について、図１０のフローチャートを参照して説明する。
【００６７】
図１０に示すように、まず、制御手段７４は、デフロスト運転から暖房運転に四方弁２３を切り換える（ステップＳ３１）。次に、制御手段７４は、四方弁２３の切り換えに基づいて開閉弁３２を閉方向に制御する（ステップＳ３２）。次に、制御手段７４は、暖房運転における室外気温度に対する使用制限での飽和冷媒圧力に圧力ヘッド差Ｈ分の液体冷媒圧力を加えたＤ点での推定冷媒圧力Ｐ５を算出する（ステップＳ３３）。次に、制御手段７４は、室外機冷媒圧力検出手段８４により検出された冷媒圧力Ｐ３を入力する（ステップＳ３４）。次に、推定冷媒圧力Ｐ５が冷媒圧力Ｐ３以下の場合（ステップＳ３５：Ｙｅｓ）、制御手段７４は、開閉弁３２を開方向に制御する（ステップＳ３６）。なお、冷媒圧力Ｐ５が冷媒圧力Ｐ３以下でない場合（ステップＳ３５：Ｎｏ）、制御手段７４は、冷媒圧力Ｐ５が冷媒圧力Ｐ３以下となるまでステップＳ３４〜ステップＳ３５の制御を繰り返す。また、ステップＳ３６での開閉弁３２の開制御は、各室内機ユニット３において設定された室１０２の温度となるように開閉弁３２の開度を設定する。
【００６８】
このように、本実施の形態の空気調和機１によれば、デフロスト運転から暖房運転に切り換える際、開閉弁３２を閉方向に制御する。このため、圧力ヘッド差Ｈにより液体冷媒配管５の液体冷媒が室内熱交換器３１に逆流する事態を防ぐ。この結果、室内機ユニット３の室内熱交換器３１に冷媒が溜まり込むことで冷媒不足となる事態が回避され、冷媒の圧力が低下しないので、デフロスト運転から暖房運転に切り換える際の暖房運転の立ち上がりを良好に行うことが可能になる。
【００６９】
また、本実施の形態の空気調和機１によれば、室内機ユニット３における液体冷媒配管５での開閉弁３２の室外熱交換器２２側の冷媒圧力を、暖房運転における室外気温度に対する使用制限での飽和冷媒圧力に圧力ヘッド差Ｈ分の液体冷媒圧力を加えたＤ点での推定冷媒圧力Ｐ５として算出し、また、室内機ユニット３における液体冷媒配管５での開閉弁３２の室内熱交換器３１側での冷媒圧力を、室外機冷媒圧力検出手段８４から入力した冷媒圧力Ｐ３相当とし、算出した推定冷媒圧力Ｐ５が入力した冷媒圧力Ｐ３以下となった場合に開閉弁３２を開方向に制御する。このため、圧力ヘッド差Ｈにより液体冷媒配管５の液体冷媒が室内熱交換器３１に逆流する事態を防ぎ、室内機ユニット３の室内熱交換器３１に冷媒が溜まり込むことで冷媒不足となる事態が回避され、冷媒の圧力が低下しない状態で暖房運転を開始する。この結果、デフロスト運転から暖房運転に切り換える際の暖房運転の立ち上がりを良好かつ、速やかに行うことが可能になる。
【００７０】
しかも、本実施の形態の空気調和機１によれば、室外機ユニット２側に設けられた室外機冷媒圧力検出手段８４による検出に基づいて制御を行い、この制御のために各室内機ユニット３側に検出手段が設けられていない。このため、各室内機ユニット３に検出手段を設けるコストを低減することが可能になる。
【００７１】
なお、本実施の形態の空気調和機１では、飽和冷媒圧力に室内機ユニット３ごとの圧力ヘッド差Ｈを加えて推定冷媒圧力Ｐ５を算出することが好ましい。このように推定冷媒圧力Ｐ５を算出することで、室内機ユニット３ごとの圧力ヘッド差Ｈに応じて開閉弁３２の開方向への制御を行えるので、室内機ユニット３ごとでデフロスト運転から暖房運転に切り換える際の暖房運転の立ち上がりを良好かつ、速やかに行うことが可能になる。
【００７２】
なお、ステップＳ３２での開閉弁３２の制御は、開閉弁３２で液体冷媒配管５を全閉させる。これにより、圧力ヘッド差Ｈにより液体冷媒配管５の液体冷媒が室内熱交換器３１に逆流する事態を確実に防ぐことが可能になる。また、ステップＳ３２での開閉弁３２の制御は、全閉に限らず、開閉弁３２で液体冷媒配管５を９０％程度閉塞させてもよい。これにより、圧力ヘッド差Ｈによる液体冷媒の圧力上昇の作用が引くとほぼ同時に、暖房運転を開始できるので、比較的早いタイミングで暖房運転を立ち上がらせることが可能になる。
【００７３】
［実施の形態５］
図１１は、本実施の形態に係る空気調和機の構成図である。なお、以下に説明する本実施の形態において、上述した実施の形態１と同等の構成には同一の符号を付してその説明を省略する。
【００７４】
図１１に示すように、本実施の形態の空気調和機１は、室外に設けられて室外気温度Ｔ２を検出する室外気温度検出手段８５が設けられている。
【００７５】
また、空気調和機１は、室外機ユニット２において、圧縮機２１の吐出位置での冷媒圧力Ｐ３を検出する室外機冷媒圧力検出手段８４が設けられている。この冷媒圧力Ｐ３は、Ｅ点、すなわち室内機ユニット３にて液体冷媒配管５における開閉弁３２の室内熱交換器３１側の冷媒圧力に相当する。
【００７６】
上述した室外気温度検出手段８５により検出された室外気温度Ｔ２、および室外機冷媒圧力検出手段８４により検出された冷媒圧力Ｐ３は、制御手段７５に入力される。制御手段７５は、マイコンなどで構成されている。制御手段７５は、室外気温度検出手段８５、室外機冷媒圧力検出手段８４、四方弁２３、および各開閉弁３２に接続されている。また、制御手段７５は、ＲＡＭやＲＯＭなどから構成されてプログラムやデータが格納される記憶部（図示せず）が設けられている。記憶部に格納されるデータは、室外気温度に対応する飽和冷媒圧力を算出する飽和冷媒圧力取得情報、飽和冷媒圧力に圧力ヘッド差Ｈ分の液体冷媒圧力を加えたＤ点での推定冷媒圧力Ｐ６を算出するための推定冷媒圧力算出情報、および室外機冷媒圧力検出手段８４から入力した冷媒圧力Ｐ３と推定冷媒圧力Ｐ６とにより推定冷媒圧力Ｐ６が冷媒圧力Ｐ３以下であるかを比較するための比較情報である。この制御手段７５は、記憶部に格納されたプログラムやデータに従って、四方弁２３の切り換えや、室外気温度Ｔ２および冷媒圧力Ｐ３の入力に基づいて各開閉弁３２を制御する。
【００７７】
制御手段７５による制御について、図１２のフローチャートを参照して説明する。
【００７８】
図１２に示すように、まず、制御手段７５は、デフロスト運転から暖房運転に四方弁２３を切り換える（ステップＳ４１）。次に、制御手段７５は、四方弁２３の切り換えに基づいて開閉弁３２を閉方向に制御する（ステップＳ４２）。次に、制御手段７５は、室外気温度検出手段８５により検出された室外気温度Ｔ２を入力する（ステップＳ４３）。次に、制御手段７５は、室外気温度Ｔ２に基づき、飽和冷媒圧力を算出すると共に当該飽和冷媒圧力に圧力ヘッド差Ｈ分の液体冷媒圧力を加えたＤ点での推定冷媒圧力Ｐ６を算出する（ステップＳ４４）。次に、制御手段７５は、室外機冷媒圧力検出手段８４により検出された冷媒圧力Ｐ３を入力する（ステップＳ４５）。次に、推定冷媒圧力Ｐ６が冷媒圧力Ｐ３以下の場合（ステップＳ４６：Ｙｅｓ）、制御手段７５は、開閉弁３２を開方向に制御する（ステップＳ４７）。なお、冷媒圧力Ｐ６が冷媒圧力Ｐ３以下でない場合（ステップＳ４６：Ｎｏ）、制御手段７５は、冷媒圧力Ｐ６が冷媒圧力Ｐ３以下となるまでステップＳ４３〜ステップＳ４６の制御を繰り返す。また、ステップＳ４７での開閉弁３２の開制御は、各室内機ユニット３において設定された室１０２の温度となるように開閉弁３２の開度を設定する。
【００７９】
このように、本実施の形態の空気調和機１によれば、デフロスト運転から暖房運転に切り換える際、開閉弁３２を閉方向に制御する。このため、圧力ヘッド差Ｈにより液体冷媒配管５の液体冷媒が室内熱交換器３１に逆流する事態を防ぐ。この結果、室内機ユニット３の室内熱交換器３１に冷媒が溜まり込むことで冷媒不足となる事態が回避され、冷媒の圧力が低下しないので、デフロスト運転から暖房運転に切り換える際の暖房運転の立ち上がりを良好に行うことが可能になる。
【００８０】
また、本実施の形態の空気調和機１によれば、室内機ユニット３における液体冷媒配管５での開閉弁３２の室外熱交換器２２側の冷媒圧力を、室外気温度Ｔ２に対応する飽和冷媒圧力に圧力ヘッド差Ｈ分の液体冷媒圧力を加えたＤ点での推定冷媒圧力Ｐ６として算出し、また、室内機ユニット３における液体冷媒配管５での開閉弁３２の室内熱交換器３１側での冷媒圧力を、室外機冷媒圧力検出手段８４から入力した冷媒圧力Ｐ３相当とし、算出した推定冷媒圧力Ｐ６が入力した冷媒圧力Ｐ３以下となった場合に開閉弁３２を開方向に制御する。このため、圧力ヘッド差Ｈにより液体冷媒配管５の液体冷媒が室内熱交換器３１に逆流する事態を防ぎ、室内機ユニット３の室内熱交換器３１に冷媒が溜まり込むことで冷媒不足となる事態が回避され、冷媒の圧力が低下しない状態で暖房運転を開始する。この結果、デフロスト運転から暖房運転に切り換える際の暖房運転の立ち上がりを良好かつ、速やかに行うことが可能になる。
【００８１】
しかも、本実施の形態の空気調和機１によれば、室外に設けられた室外気温度検出手段８５および室外機冷媒圧力検出手段８４による検出に基づいて制御を行い、この制御のために各室内機ユニット３側に検出手段が設けられていない。このため、各室内機ユニット３に検出手段を設けるコストを低減することが可能になる。
【００８２】
なお、本実施の形態の空気調和機１では、飽和冷媒圧力に室内機ユニット３ごとの圧力ヘッド差Ｈを加えて推定冷媒圧力Ｐ６を算出することが好ましい。このように推定冷媒圧力Ｐ６を算出することで、室内機ユニット３ごとの圧力ヘッド差Ｈに応じて開閉弁３２の開方向への制御を行えるので、室内機ユニット３ごとでデフロスト運転から暖房運転に切り換える際の暖房運転の立ち上がりを良好かつ、速やかに行うことが可能になる。
【００８３】
なお、ステップＳ４２での開閉弁３２の制御は、開閉弁３２で液体冷媒配管５を全閉させる。これにより、圧力ヘッド差Ｈにより液体冷媒配管５の液体冷媒が室内熱交換器３１に逆流する事態を確実に防ぐことが可能になる。また、ステップＳ４２での開閉弁３２の制御は、全閉に限らず、開閉弁３２で液体冷媒配管５を９０％程度閉塞させてもよい。これにより、圧力ヘッド差Ｈによる液体冷媒の圧力上昇の作用が引くとほぼ同時に、暖房運転を開始できるので、比較的早いタイミングで暖房運転を立ち上がらせることが可能になる。
【産業上の利用可能性】
【００８４】
以上のように、本発明に係る空気調和機は、デフロスト運転から暖房運転に切り換える際の暖房運転の立ち上がりを良好に行うことに適している。
【符号の説明】
【００８５】
１  空気調和機
２  室外機ユニット
２１  圧縮機
２２  室外熱交換器
２３  四方弁
２３ａ  導入部
２３ｂ  導出部
２３ｃ  第一入出部
２３ｄ  第二入出部
３  室内機ユニット
３１  室内熱交換器
３２  開閉弁
４ａ，４ｂ，４ｃ  冷媒配管
５  液体冷媒配管
６  気体冷媒配管
７１，７２，７３，７４，７５  制御手段
８１  第一室内機冷媒圧力検出手段
８２  第二室内機冷媒圧力検出手段
８３  室外機冷媒温度検出手段
８４  室外機冷媒圧力検出手段
８５  室外気温度検出手段
１００  建物
１０１  機械室
１０２  室
Ｈ  圧力ヘッド差
Ｐ１  冷媒圧力
Ｐ２  冷媒圧力
Ｐ３  冷媒圧力
Ｐ４  推定冷媒圧力
Ｐ５  推定冷媒圧力
Ｐ６  推定冷媒圧力
Ｔ１  冷媒温度
Ｔ２  室外気温度
【図１】
2011174667.tif 000003
【図２】
2011174667.tif 000004
【図３】
2011174667.tif 000005
【図４】
2011174667.tif 000006
【図５】
2011174667.tif 000007
【図６】
2011174667.tif 000008
【図７】
2011174667.tif 000009
【図８】
2011174667.tif 000010
【図９】
2011174667.tif 000011
【図１０】
2011174667.tif 000012
【図１１】
2011174667.tif 000013
【図１２】
2011174667.tif 000014